(57)【要約】【課題】  本発明は、装置の電源状態に応じて、電源スイッチに供給される電圧を替え、電源スイッチによる電力の消費を抑制することを目的とする。【解決手段】  本発明に記載の情報処理装置は交流電源を第１の電圧の直流電源に変換する第１の変換手段と、ユーザにより操作される電源スイッチと、前記電源スイッチがオフからオンに切り替えられた後に、前記第１の変換手段により変換された前記第１の電圧の直流電源を前記第１の電圧より低い第２の電圧の直流電源に変換する第２の変換手段と、を有する情報処理装置において、前記情報処理装置の電源の状態に応じて、前記第１の変換手段と前記第２の変換手段のいずれから前記電源スイッチに電力を供給するかを変える第１の電源制御手段を有することを特徴とする。【選択図】  図３
2020100125.tif 000002
【特許請求の範囲】
【請求項１】
交流電源を第１の電圧の直流電源に変換する第１の変換手段と、
ユーザにより操作される電源スイッチと、
前記電源スイッチがオフからオンに切り替えられた後に、前記第１の変換手段により変換された前記第１の電圧の直流電源を前記第１の電圧より低い第２の電圧の直流電源に変換する第２の変換手段と、を有する情報処理装置において、
前記情報処理装置の電源の状態に応じて、前記第１の変換手段と前記第２の変換手段のいずれから前記電源スイッチに電力を供給するかを変える第１の電源制御手段を有することを特徴とする情報処理装置。
【請求項２】
前記情報処理装置の電源の状態は、前記電源スイッチがオン状態であるか、オフ状態であるかであることを特徴とする請求項１に記載の情報処理装置。
【請求項３】
前記第１の電源制御手段は、前記電源スイッチがオン状態である場合、前記第１の変換手段から前記電源スイッチに電力を供給し、前記電源スイッチがオフ状態である場合、前記第２の変換手段から前記電源スイッチに電力を供給することを特徴とする請求項２に記載の情報処理装置。
【請求項４】
前記第１の電源制御手段は、前記第２の変換手段の出力する直流電源の電圧に基づいて、前記電源スイッチへの電力の供給源を前記第１の変換手段から前記第２の変換手段に変えることを特徴とする請求項１乃至３のいずれか一項に記載の情報処理装置。
【請求項５】
前記第１の電源制御手段は、前記第２の変換手段が前記第１の電圧から前記第２の電圧への変換を行わない間、前記第１の変換手段から前記電源スイッチに電力を供給することを特徴とする請求項４に記載の情報処理装置。
【請求項６】
前記第１の変換手段から出力される前記第１の電圧の直流電源を前記第２の変換手段に供給するか否かを切り替える第２の電源制御手段をさらに有し、
前記第２の電源制御手段は、前記電源スイッチを介して供給される電圧に基づいて、前記第１の変換手段から出力される前記第１の電圧の直流電源を前記第２の変換手段に供給するか否かを切り替えることを特徴とする請求項１乃至５のいずれか一項に記載の情報処理装置。
【請求項７】
前記第１の変換手段は、前記電源スイッチの状態に関わらず、前記交流電源を前記第１の電圧の直流電源に変換することを特徴とする請求項１乃至６のいずれか一項に記載の情報処理装置。
【請求項８】
前記電源スイッチはシーソースイッチであることを特徴とする請求項１乃至７のいずれか一項に記載の情報処理装置。
【請求項９】
前記第２の変換手段から前記第２の電圧の直流電源が前記情報処理装置の制御手段に供給されることを特徴とする請求項１乃至６のいずれか一項に記載の情報処理装置。
【請求項１０】
前記制御手段は当該情報処理装置の起動プログラムを実行することを特徴とする請求項９に記載の情報処理装置。
【請求項１１】
交流電源の電源を第１の電圧の直流電源に変換する第１の変換手段と、
ユーザにより操作される電源スイッチと、
前記電源スイッチがオフからオンに切り替えられた後に、前記第１の変換手段により変換された前記直流電源を前記第１の電圧よりも低い第２の電圧の直流電源に変換する第２の変換手段と、を有する情報処理装置において、
前記情報処理装置の電源の状態に応じて、前記電源スイッチに前記第１の変換手段の出力する前記第１の電圧の直流電源と前記第２の変換手段の出力する前記第２の電圧の直流電源のいずれの電源を供給するかを変えることを特徴とする情報処理装置。
【請求項１２】
ユーザにより操作される電源スイッチと、
交流電源から第１の直流電源を生成する第１の変換手段と、
前記電源スイッチがオフからオンに切り替えられた後に、前記第１の変換手段により変換された前記第１の電圧の直流電源を前記第１の電圧と異なる第２の電圧の直流電源に変換する第２の変換手段と、を有する情報処理装置の制御方法であって、
前記情報処理装置の電源の状態に基づいて、前記第１の変換手段と前記第２の変換手段のいずれから前記電源スイッチに電力を供給するかを変える電源制御工程を有することを特徴とする情報処理装置の制御方法。
【請求項１３】
前記情報処理装置の電源の状態とは、前記電源スイッチの状態であることを特徴とする請求項１２に記載の情報処理装置の制御方法。
【請求項１４】
前記電源制御工程は、前記電源スイッチがオンの場合、前記第２の変換手段から前記電源スイッチに電力を供給し、前記電源スイッチがオフの場合、前記第１の変換手段から前記電源スイッチに電力を供給することを特徴とする請求項１３に記載の情報処理装置の制御方法。
【請求項１５】
請求項１２乃至１４のいずれか一項に記載の情報処理装置の制御方法をコンピュータが実行するためのコンピュータプログラム。
【発明の詳細な説明】
【技術分野】
【０００１】
本発明は、情報処理装置およびその制御方法、ならびにプログラムに関する。
【背景技術】
【０００２】
コピー処理、プリント処理、及びＦＡＸ処理等の各処理を実行する情報処理装置としてのＭＦＰが知られている。ＭＦＰ（Ｍｕｌｔｉ  Ｆｕｎｃｔｉｏｎ  Ｐｅｒｉｐｈｅｒａｌ）等の情報処理装置は装置の電源オン、オフを切り替えるための電源スイッチを備え、ユーザが当該電源スイッチを操作することで装置への電源供給の開始および停止がなされる。
【０００３】
特許文献１では、電源スイッチ３５とＤＣＤＣコンバータが同一の電源ライン上に配置されている。電源スイッチ３５がオンの場合、ＡＣアダプタ２から電源スイッチ３５を介してＤＣＤＣコンバータ３１に電力が供給される。一方で、電源スイッチがオフの場合、ＡＣアダプタ２から電源スイッチ３５には電力が供給されるが、ＤＣＤＣコンバータ３１への電力の供給は停止される。
【先行技術文献】
【特許文献】
【０００４】
【特許文献１】特開２０１２−１１５９９５号公報
【発明の概要】
【発明が解決しようとする課題】
【０００５】
上記のような電源スイッチでは、オン、オフの切り替え動作を保証するために最小負荷電流が定められており、電源スイッチをオンしたときに最小負荷電流が流れるよう電源オフの状態でも電力供給を行うことが必要である。
【０００６】
しかしながら、特許文献１のように電源スイッチとＤＣＤＣコンバータを同一の電源ライン上に配置すると、装置の電源状態に関わらず常に、装置に供給される全ての電流が電源スイッチに流れ込むこととなる。装置に供給される電圧は高電圧である場合が多く、電源スイッチに高電圧の電源が多く流れ込むことで電源スイッチによる電力の消費量が多くなってしまう。
【０００７】
本発明は、上記の課題を鑑み、装置の電源状態に応じて、電源スイッチに供給される電圧を替え、電源スイッチによる電力の消費を抑制することを目的とする。
【課題を解決するための手段】
【０００８】
本発明に記載の情報処理装置は、交流電源を第１の電圧の直流電源に変換する第１の変換手段と、ユーザにより操作される電源スイッチと、前記電源スイッチがオフからオンに切り替えられた後に、前記第１の変換手段により変換された前記第１の電圧の直流電源を前記第１の電圧より低い第２の電圧の直流電源に変換する第２の変換手段と、を有する情報処理装置において、前記情報処理装置の電源の状態に応じて、前記第１の変換手段と前記第２の変換手段のいずれから前記電源スイッチに電力を供給するかを変える第１の電源制御手段を有することを特徴とする。
【発明の効果】
【０００９】
本発明によれば、上記の課題を鑑み、装置の電源状態に応じて、電源スイッチに供給される電圧を替え、電源スイッチによる電力の消費を抑制することができる。
【図面の簡単な説明】
【００１０】
【図１】本実施例における情報処理装置の概略の一例の図である。
【図２】本実施例におけるコントローラ部１０１の内部構成の一例を示すブロック図である。
【図３】本実施例における電源スイッチ電力供給部２０３とコントローラ電力供給部２０１の内部構成の一例を示すブロック図である。
【図４】本実施例における情報処理装置の起動時の電源スイッチ供給部２０３とコントローラ電力供給部２０１の動作を示すタイミングチャートである。
【図５】本実施例における情報処理装置の電源オフ時の電源スイッチ供給部２０３とコントローラ電力供給部２０１の動作を示すタイミングチャートである。
【発明を実施するための形態】
【００１１】
（実施例）
以下、図面を参照しながら本実施例を詳述する。以下の実施例では、情報処理装置としてＭＦＰを例に説明する。ただし、情報処理装置はＭＦＰに限らず、ＳＦＰやＰＣ等の情報処理装置であってもよい。
【００１２】
図１は、本実施例におけるＭＦＰ１００の構成の一例を示す概略図である。
【００１３】
図１において、ＭＦＰ１００は、コントローラ部１０１、ＡＣプラグ１０２、電源部１０３、電源スイッチ１０４、操作部１０５、及び電力供給部１０６を備える。また、ＭＦＰ１００は、スキャナ部１０７、プリンタ部１０８を備える。コントローラ部１０１は、電源部１０３、電源スイッチ１０４、操作部１０５、電力供給部１０６、スキャナ部１０７、プリンタ部１０８とそれぞれ接続されている。ＡＣプラグ１０２は電源部１０３と接続されている。
【００１４】
ＭＦＰ１００はスキャン処理、印刷処理等の各処理を実行可能である。コントローラ部１０１はＭＦＰ１００全体を統括的に制御する。ＡＣプラグ１０２は電源としての外部コンセントに差し込まれる。外部コンセントからＡＣプラグ１０２を介して電源部１０３に商用交流電源が供給される。電源部１０３は外部コンセントから供給された交流電源を直流電源に変換し、コントローラ部１０１及び電力供給部１０６に電力を供給する。電源スイッチ１０４はユーザがＭＦＰ１００の起動及び停止を制御するためのスイッチである。電源スイッチ１０４は、物理的にＭＦＰ１００の起動及び停止のいずれかを示す状態を保持するシーソースイッチ等で構成される。なお、本実施例では、電源スイッチ１０４と操作部１０５にはコントローラ部１０１を介して電力が供給される。
【００１５】
電源スイッチ１０４はＭＦＰ１００が起動状態（オン状態）であるか、停止状態（オフ状態）であるかをコントローラ部１０１に通知する。操作部１０５は図示しない表示部及び操作キーを備え、ユーザから入力された各処理の実行の指示を受け付ける。スキャナ部１０７は図示しない原稿台に配置された原稿を読み取って画像データを生成する。プリンタ部１０８はスキャナ部１０７で生成された画像データ等に基づいて用紙に印刷を行う。電力供給部１０６は電源部１０３から供給された電源をスキャナ部１０７、プリンタ部１０８にそれぞれ供給する。電力供給部１０６がプリンタ部１０８、スキャナ部１０７に電力を供給するか否かはコントローラ部１０１のＣＰＵ２０４により制御される。
【００１６】
図２は、図１におけるコントローラ部１０１の内部構成を概略的に示すブロック図である。
【００１７】
図２において、コントローラ部１０１はコントローラ電力供給部２０１、電圧変換部２０２、電源スイッチ電力供給部２０３、ＣＰＵ２０４、メモリ２０５、ＨＤＤ２０６、及び画像処理部２０７を備える。
【００１８】
コントローラ電力供給部２０１は、電源スイッチ１０４の状態を監視し電源スイッチがオフ状態からオン状態に変わったことに従って、電源部１０３から供給される直流電源を電圧変換部２０２に供給する。電源部１０３から電圧変換部２０２に直流電源が供給されることで、ＣＰＵ２０４は起動プログラムの実行を開始し、ＭＦＰ１００の起動処理を実行する。上記のようにコントローラ電力供給部２０１はＣＰＵやメモリ、ＤＨＨ等を含む制御部への電源制御を行う。
【００１９】
電圧変換部２０２は、コントローラ電力供給部２０１から供給される直流電源の電圧をＣＰＵ２０４、メモリ２０５、ＨＤＤ２０６、画像処理部２０７、及び電源スイッチ電力供給部２０３に供給される電圧に変換する。
【００２０】
電圧変換部２０２の出力する直流電源は、ＣＰＵ２０４、メモリ２０５、ＨＤＤ２０６、及び画像処理部２０７と電源スイッチ電力供給部２０３に供給される。なお、電圧変換部２０２は、電源部１０３から供給される直流電源を当該直流電源よりも低い電圧の直流電源に変換して出力する。
【００２１】
電源スイッチ電力供給部２０３は、電源部１０３、電源スイッチ１０４、電圧変換部２０２に接続されている。電源スイッチ電力供給部２０３は、電源部１０３から供給される直流電源もしくは電圧変換部２０２から供給される直流電源のどちらかの電源を電源スイッチ１０４に供給する。電源スイッチ電力供給部２０３は電源スイッチへ供給される電源制御を行う。電源スイッチ電力供給部２０３の動作については図３を用いて後述する。
【００２２】
ＣＰＵ２０４は、操作部１０５、電力供給部１０６、メモリ２０５、ＨＤＤ２０６、及び画像処理部２０７と接続されている。ＣＰＵ２０４はＨＤＤ２０６に格納されたプログラムを実行して各制御を行う。ＣＰＵ２０４は電力供給部１０６からプリンタ部１０８、スキャナ部１０７に電力を供給するか否かを制御する。たとえば、ＭＦＰ１００が電源スイッチ１０４をオン状態にしたまま、スタンバイ状態よりも消費電力の低いスリープ状態に移行する場合、ＣＰＵ２０４が電力供給部１０６にプリンタ部１０８、スキャナ部１０７への電源供給を停止するよう指示する。このようにすることで、スリープ状態では、ＭＦＰ１００の消費電力を抑制することができる。本実施例では、ＭＦＰ１００がスリープ状態であっても、電圧変換部２０２は直流電源を生成しており、電源スイッチ電力供給部２０３は、電圧変換部２０２が出力した直流電源を電源スイッチ１０４に供給する。このようにすることで、ＭＦＰ１００がスリープ状態であっても、電源スイッチ１０４に電源部１０３の生成した直流電源ではなく、電圧変換部２０２が生成した直流電源を電源スイッチ１０４に供給することができる。
【００２３】
メモリ２０５は揮発性メモリであり、ＣＰＵ２０４の各プログラムの実行によって生成されたデータ等を格納する主メモリである。ＨＤＤ２０６はＣＰＵ２０４が実行するプログラムやＭＦＰ１００に関する設定情報等を格納する。画像処理部２０７はスキャナ部１０７で生成された画像データに対して色空間変換等の画像処理を施し、変換された画像データをプリンタ部１０８に出力する。ＭＦＰ１００の起動時、電圧変換部２０２から出力された直流電源がＣＰＵ２０４に供給される。ＣＰＵ２０４は電源が供給されたことに従って、ＨＤＤ２０６に格納されたプログラムを読みだして実行し、ＭＦＰ１００の起動処理を開始する。
【００２４】
図３は、図２における電源スイッチ電力供給部２０３とコントローラ電力供給部２０１の内部構成を示すブロック図である。
【００２５】
電源スイッチ電力供給部２０３は、ＦＥＴ３０１、トランジスタ３０２、デジタルトランジスタ３０３、ダイオード３１０、３１１で構成される。ＦＥＴ３０１は、電源部１０３から供給される直流電源を電源スイッチ１０４に供給するか否かを切り替えるスイッチ素子である。ＦＥＴ３０１のソース端子は電源部１０３から供給される直流電源３０９が供給される端子である。ＦＥＴ３０１のゲート端子はトランジスタ３０２のコレクタ端子に接続される。即ち、ＦＥＴ３０１はトランジスタ３０２のオン、オフ動作に合わせてオンオフが切り替えられる。ＦＥＴ３０１のドレイン端子はダイオード３１０を介して電源スイッチ１０４に接続されている。ＦＥＴ３０１はゲート・ソース間の電位差が閾値以上になるとオンされる。なお、本実施例ではＦＥＴ３０１は、ｐチャネルのパワーＭＯＳＦＥＴを使用することとする。
【００２６】
トランジスタ３０２は、ベース端子がデジタルトランジスタ３０３のコレクタ端子に接続され、コレクタ端子がＦＥＴ３０１のゲート端子が接続され、エミッタ端子がグランドに接地されている。トランジスタ３０２はベースに印加される電圧が閾値以上になるとオンになる。トランジスタ３０２は、デジタルトランジスタ３０３のオン、オフ動作に合わせて、オンオフが切り替わる。
【００２７】
デジタルトランジスタ３０３は、ベース端子が電圧変換部２０２から供給される直流電源３０８に接続され、コレクタ端子がトランジスタ３０２のベース端子に接続され、エミッタ端子がグランドに接地されている。デジタルトランジスタ３０３はベースに印加される電圧が閾値以上になるとオンになる。すなわち、デジタルトランジスタ３０３は、電圧変換部２０２の出力の変化に基づいて、オンオフが切り替わる。
【００２８】
なお、ＦＥＴ３０１のゲート端子とトランジスタ３０２のベース端子は電源部１０３から供給される直流電源３０９でプルアップ処理されている。
【００２９】
電源スイッチ１０４の直流電源３０６は、ＦＥＴ３０１のドレイン端子がダイオード３１０を介して接続され、かつ、電圧変換部２０２から供給される直流電源３０８がダイオード３１１を介して接続されている。
【００３０】
コントローラ電力供給部２０１は、ＦＥＴ３０４、デジタルトランジスタ３０５、負荷抵抗３１２で構成される。ＦＥＴ３０４は、電源部１０３から供給される直流電源３０９を電圧変換部２０２に供給するか否かを切り替えるスイッチ素子である。ＦＥＴ３０４のソース端子は電源部１０３から供給される直流電源３０９に接続される。ＦＥＴ３０４のゲート端子はデジタルトランジスタ３０５のコレクタ端子に接続され、ドレイン端子が電圧変換部２０２に接続されている。すなわち、ＦＥＴ３０４はデジタルトランジスタ３０５のオンオフの切り替えに基づいて、オンオフを切り替える。なお、本実施例では、ＦＥＴ３０４としてｐチャネルのパワーＭＯＳＦＥＴを使用する。
【００３１】
デジタルトランジスタ３０５は、ベース端子が電源スイッチ１０４からの電源スイッチ信号３０７に接続され、コレクタ端子がＦＥＴ３０４のゲート端子に接続され、エミッタ端子がグランドに接地されている。デジタルトランジスタ３０５は、電源スイッチ１０４から電源スイッチ信号３０７を介して入力される信号に基づいて、オンオフを切り替える。本実施例では、電源スイッチ１０４がオンされ、電源スイッチ信号３０７がＨ（Ｈｉｇｈ）になっている場合、デジタルトランジスタ３０５はオンとなる。
【００３２】
なお、ＦＥＴ３０４のゲート端子は電源部１０３から供給される直流電源３０９でプルアップ処理されている。負荷抵抗３１２は、電源スイッチ１０４に必要な最少負荷電流を流すための負荷抵抗である。
【００３３】
次に、図４を用いて、本実施例において、電源スイッチがオンされたときの電源スイッチ電力供給部２０３、コントローラ電力供給部２０１の動作を説明する。図４は、電源スイッチがオンされたときの電源スイッチ電力供給部２０３とコントローラ電力供給部２０１の処理を示すタイミングチャートである。
【００３４】
ＡＣプラグが外部コンセントに差し込まれる前、電源スイッチはオフ状態であり、電源スイッチ電力供給部２０３のＦＥＴ３０１、トランジスタ３０２、デジタルトランジスタ３０３はそれぞれオフ状態であるとする。また、コントローラ電力供給部２０１のＦＥＴ３０４、デジタルトランジスタ３０５もオフである。
【００３５】
まず、ユーザがＡＣプラグ１０２を外部コンセントに差し込むと、外部コンセントからＡＣプラグ１０２を介して電源部１０３に交流電源の供給が開始される（ｔ０）。
【００３６】
電源部１０３は外部コンセントから交流電源が供給されると、当該交流電源を直流電源に変換し、直流電源３０９の出力を開始する（ｔ１）。
【００３７】
直流電源３０９の供給が開始されると、電源スイッチ電力供給部２０３のトランジスタ３０２のベース端子に直流電源が印加され、トランジスタ３０２がオフ状態からオン状態に切り替わる。トランジスタ３０２がオン状態になり、トランジスタ３０２のコレクタ、エミッタ間で電流が流れるようになることで、ＦＥＴ３０１のソース・ゲート間に電位差ができ、ＦＥＴ３０１がオフ状態からオン状態に切り替わる（ｔ２）。これにより、電源部１０３から出力された直流電源３０９はダイオード３１０、直流電源３０６を介して電源スイッチ１０４に入力される。
【００３８】
このとき、デジタルトランジスタ３０３はコレクタ端子にはオフ状態のままである。また、コントローラ電力供給部２０１のＴＥＦ３０４、デジタルトランジスタ３０５はオフ状態のままである。
【００３９】
このように、電源スイッチ１０４をオフ状態のまま、ＡＣプラグ１０２をプラグインした場合、電源スイッチ１０４には電源部１０３が出力した直流電源３０９が印加される。
【００４０】
次に、電源スイッチ１０４をユーザがオン操作した後の動作に関して説明する。ｔ３において、ユーザが電源スイッチ１０４をオン状態に変える。電源スイッチ１０４はオン状態になったことに従って、電源部１０３から出力された直流電源３０６が電源スイッチ１０４を介して電源スイッチ信号３０７に入力される。そして、電源スイッチ信号３０７に入力された電源電圧がデジタルトランジスタのベース端子に印加され、デジタルトランジスタ３０５がオン状態になる（ｔ４）。
【００４１】
デジタルトランジスタ３０５がオン状態になると、ＦＥＴ３０４のソース端子とゲート端子間に電位差が生じ、ＦＥＴ３０４はオン状態に切り替わる（ｔ５）。ＦＥＴ３０４がオン状態になることで、電源部１０３から出力された直流電源３０９がＦＥＴ３０４を介して電圧変換部２０２に供給される。電圧変換部２０２は、電源部１０３から供給される直流電源３０９よりも電圧の低い直流電源３０８を出力する。直流電源３０８はＣＰＵ２０４やメモリ２０５、ＨＤＤ２０６、画像処理部２０７等に供給される。さらに、電源スイッチ電力供給部２０３のデジタルトランジスタ３０３のベース端子に直流電源３０８が印加される。直流電源３０８の印加により、デジタルトランジスタ３０３はオン状態に変化する（ｔ７）。
【００４２】
デジタルトランジスタ３０３がオン状態になったことに従って、トランジスタ３０２のベース電位が下がりトランジスタ３０２はオフ状態となる（ｔ８）。トランジスタ３０２がオフ状態になると、ＦＥＴ３０１のソース端子とゲート端子間に電位差がなくなるため、ＦＥＴ３０１はオフ状態となる（ｔ９）。ＦＥＴ３０１がオフ状態になると、電源部１０３から出力される直流電源３０９の電源スイッチ１０４への供給は停止される。これにより、電源スイッチ１０４が電源オン状態の場合、電源部１０３の出力する高電圧の直流電源を電源スイッチ１０４に供給することなく、電圧変換部２０２の出力より低電圧の直流電源を電源スイッチ１０４に供給することができるようになる。これにより、ＭＦＰ１００が電源オン状態の場合に、電源スイッチ１０４による消費電力を抑制することができるようになる。
【００４３】
図５は、本実施例におけるプラグアウト時の電源スイッチ電力供給部２０３とコントローラ電力供給部２０１の動作を示すタイミングチャートである。電源スイッチ１０４がオン状態の場合、電源スイッチ電力供給部２０３のＦＥＴ３０１、トランジスタ３０２はオフ、デジタルトランジスタ３０３はオンである。一方で、コントローラ電力供給部２０１のデジタルトランジスタ３０５、ＦＥＴ３０４はともにオンである。ｔ１０において、ユーザが電源スイッチ１０４をオフ状態にする。すると、電源スイッチ信号３０７の電圧が低下し、デジタルトランジスタ３０５がオフ状態になる（ｔ１１）。デジタルトランジスタ３０５がオフ状態に移行すると、ＦＥＴ３０４のソース、ドレイン間の電位差が小さくなりＦＥＴ３０４がオフ状態となる（ｔ１２）。
【００４４】
ＦＥＴ３０４がオフ状態となることで、電圧変換部２０２に直流電源が供給されなくなり、直流電源３０８が低下し、デジタルトランジスタ３０３がオフに移行する（ｔ１３）。デジタルトランジスタ３０３がオフ状態に移行したことに従って、トランジスタ３０２がオン状態となる（ｔ１４）。トランジスタ３０２がオンになると、ＦＥＴ３０１のソース、ドレイン間に電位差が生じ、ＦＥＴ３０１がオンになる（ｔ１５）。これにより、電源スイッチ１０４の直流電源３０６に電源部１０３の出力する直流電源３０９が供給される。上記の動作により、電源ンスイッチ１０４がオフされると、電源スイッチ１０４に供給される直流電源を電圧変換部２０２が出力する電源電圧から、電源部１０３が出力する直流電源に切り替えることができる。これにより、電源スイッチ１０４がオフの状態でも、電源スイッチ１０４に直流電源を供給することができる。
【００４５】
さらに、ｔ１７でプラグアウトされると、電源部１０３からの出力は減少し、それに伴い、トランジスタ３０２がオフになる（ｔ１８）。その後、ＦＥＴ３０１もオフ状態となる（ｔ１９）。
【００４６】
以上のように、本実施例では電源スイッチがオン状態のときと、電源スイッチ１０４がオフ状態のときで電源スイッチ１０４への電力の供給源を変え、電源オン時にはより低い電圧で電源スイッチに電力が供給されるようにする。これにより、電源スイッチがオンの状態での、電源スイッチ１０４による消費電力を抑制することができる。例えば、直流電源３０９が１２Ｖ、直流電源３０８が５Ｖ、電源スイッチ１０４の最少負荷電流が１ｍＡの場合、電源スイッチ１０４に供給する直流電源を切り替えず直流電源３０９を供給し続けると１２ｍＷ消費することになる。一方、電源スイッチ１０４に供給する直流電源を切り替え、直流電源３０８を供給すると５ｍＷ消費することになる。このように、電源スイッチ１０４による消費電力を抑制することができる。
【００４７】
上述した本発明の実施形態によれば、電源スイッチ１０４に流す直流電源を電源部１０３から供給される直流電源３０９より電圧の低い直流電源３０８に切り替えることにより、電源スイッチ１０４と負荷抵抗３１２で消費される電力を削減することが可能となる。
【００４８】
（その他の実施例）
なお、本実施例では電源スイッチ１０４へ電源部の出力した直流電源を供給するか、電圧変換部の出力した直流電源を供給するかを電圧変換部の出力する直流電源の電圧を用いて切り替えることとした。ＣＰＵ２０４への電力供給が開始された後にＣＰＵ２０４が電源スイッチ電源供給部２０３を制御するとしてもよい。ＣＰＵ２０４がＭＦＰ１００の起動プログラムを実行し、電源スイッチ１０４に供給される電源を電源部１０３から出力される直流電源３０９から電圧変換部２０２から出力される直流電源３０８に切り替えるように制御するとしてもよい。また、電源スイッチ１０４がオン状態に移行したことに従って、ＣＰＵ２０４に割り込み信号を入力し、ＣＰＵ２０４が当該割り込み信号に基づいて、電源スイッチ１０４への電源供給の経路を切り替えるとしてもよい。
【００４９】
本発明は、以下の処理を実行することによっても実現される。即ち、上述した実施例の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのコンピュータプログラム、及び該コンピュータプログラムを記憶した記憶媒体は本発明を構成することになる。
【図１】
2020100125.tif 000003
【図２】
2020100125.tif 000004
【図３】
2020100125.tif 000005
【図４】
2020100125.tif 000006
【図５】
2020100125.tif 000007